(57)【要約】【課題】端末からの送信時にプリアンブルが基地局へ送信される通信システムにおいて、基地局やその上位装置の負荷を軽減する。【解決手段】基地局装置Ｂ１は、複数の既知パターンの中から選ばれたパターンを含むプリアンブルを端末ＵＥから受信して、このプリアンブルに対する応答を端末ＵＥに送信し、受信した複数のプリアンブルのうちいずれかを選択して破棄するプリアンブル破棄部（３１、３３、３４）を備える。【選択図】図３
2009224885.tif 000002
【特許請求の範囲】
【請求項１】
複数の既知パターンの中から選ばれたパターンを含むプリアンブルを端末から受信して、該プリアンブルに対する応答を該端末に送信する基地局装置であって、
受信した複数の前記プリアンブルのうちいずれかを選択して破棄するプリアンブル破棄部を備える基地局装置。
【請求項２】
前記プリアンブル破棄部は、１以上の所定のプリアンブル系列のプリアンブルを各々破棄する請求項１に記載の基地局装置。
【請求項３】
前記基地局装置の所定の負荷を測定する負荷測定部と、
前記測定された負荷に応じた量のプリアンブル系列を前記１以上の所定のプリアンブル系列として決定する破棄プリアンブル系列決定部と、
を備える請求項２に記載の基地局装置。
【請求項４】
所定周期内に破棄すべき前記プリアンブルの量を示す破棄量を決定する破棄量決定部と、
前記所定周期内に受信された前記プリアンブルの量を示す受信量を前記プリアンブル系列毎に測定する受信量測定部と、
１以上のプリアンブル系列であってそれらの前記受信量の合計が前記破棄量以上となるものを、前記１以上の所定のプリアンブル系列として決定する破棄プリアンブル系列決定部と、
を備える請求項２に記載の基地局装置。
【請求項５】
複数の既知パターンの中から選ばれたパターンを含むプリアンブルを端末から受信して、該プリアンブルに対する応答を該端末に送信する基地局装置を含む無線通信システムであって、
前記基地局は、受信した複数の前記プリアンブルのうちいずれかを選択して破棄するプリアンブル破棄部を備える無線通信システム。
【請求項６】
複数の既知パターンの中から選ばれたパターンを含むプリアンブルが端末から基地局装置へ送信され、該プリアンブルに対する応答が該基地局装置から該端末に送信される通信方法であって、
前記基地局装置が、受信した複数の前記プリアンブルのうちいずれかを選択して破棄する通信方法。
【発明の詳細な説明】
【技術分野】
【０００１】
本発明は、無線アクセスネットワークに設けられる基地局に関し、特に基地局やその上位装置の処理負荷を軽減する技術に関する。
【背景技術】
【０００２】
セルラシステムでは、電源投入の直後またはハンドオーバの直後のユーザ端末が、ランダムアクセスチャネルを用いて基地局と初期通信を行う。基地局は、セル内で使用する初期通信用の複数のプリアンブルパターンを、周期的にユーザ端末に報知している。ユーザ端末は報知されたプリアンブルパターンの中から適切なものを１つ選択し、選択されたパターンを含むプリアンブルを基地局に送信する。
【０００３】
基地局では、プリアンブルとして送信されてくる可能性のある全てのパターンと、受信信号のパターンとの相関処理を行い、設定値以上の相関ピークが検出されたときにプリアンブルが送信されたと判定し、プリアンブルに対する所定の応答を送信する。ユーザ端末は、プリアンブルに対する応答を受信すると、自機の端末番号、データの種別、データ量などのメッセージを基地局に送り通信リンクを確立する。
【０００４】
下記特許文献１には、プリアンブルの受信回数が閾値を超えた場合に端末からの発呼を規制する発呼規制情報を送信する基地局装置が開示されている。
下記特許文献２には、移動ステーションにランダムアクセスチャネルの許容スロットを通知することによりプリアンブルの輻輳を制御することが開示されている。
下記特許文献３には、ランダムアクセスチャネルのタイムウインドウを２グループに分割し、これらのグループを優先度クラスに割り当てることが開示されている。
【０００５】
【特許文献１】特開２００５−３５４４８８号公報
【特許文献２】特開２００７−９７２２３号公報
【特許文献３】特開２０００−１５１４９４号公報
【発明の開示】
【発明が解決しようとする課題】
【０００６】
ユーザ端末が一斉に送信を行う処理や端末と基地局との間の位置登録が一斉に行われる処理においては、これらの信号が輻輳することがある。例えば、多くの人々が乗った電車内や多くの人々が集まるイベント等においてこのようなことが起こりやすい。これらの信号が輻輳すると基地局やその上位装置の負荷が増加し、接続済みの呼やそれ以降の処理に影響が及ぶことがある。
また、ある基地局に送信している端末数が少なくても、他の理由によりその基地局の上位装置の負荷が増加する場合もある。
【０００７】
開示の装置や方法は、端末からの送信時にプリアンブルが基地局へ送信される通信システムにおいて、基地局やその上位装置の負荷を軽減することを目的とする。
【課題を解決するための手段】
【０００８】
開示される装置は、複数の既知パターンの中から選ばれたパターンを含むプリアンブルを端末から受信して、このプリアンブルに対する応答を端末に送信する基地局装置であって、受信した複数のプリアンブルのうちいずれかを選択して破棄するプリアンブル破棄部を備える。
【０００９】
また、開示される方法は、複数の既知パターンの中から選ばれたパターンを含むプリアンブルが端末から基地局装置へ送信され、このプリアンブルに対する応答が基地局装置から端末に送信される通信方法であって、基地局装置が、受信した複数のプリアンブルのうちいずれかを選択して破棄する。
【発明の効果】
【００１０】
開示の装置や方法によって、プリアンブルが破棄された端末は、プリアンブル以降に送信されるメッセージやデータが抑制されるので、基地局又はその上位装置の負荷が軽減される。
【発明を実施するための最良の形態】
【００１１】
以下、添付する図面を参照して実施例を説明する。図１は、開示の通信システムのネットワーク構成図である。開示の通信システム１は、コアネットワークＮＴ１と、無線アクセスネットワークＮＴ２を備えており、無線アクセスネットワークＮＴ２は、移動端末であるユーザ端末ＵＥと無線信号を送受信する基地局Ｂ１〜Ｂ３を備えており、コアネットワークＮＴ１は、基地局Ｂ１〜Ｂ３の上位装置であるノードＮＤ１及びＮＤ２を備える。
通信システム１では、基地局Ｂ１〜Ｂ３同士の間で、基地局間インタフェースＩ２を介して信号の送受信が可能であり、また基地局Ｂ１〜Ｂ３とノードＮＤ１及びＮＤ２との間ではノード基地局間インタフェースＩ１を介して信号の送受信が可能である。
【００１２】
例えば、現在３ＧＰＰにおいて検討されている３ＧＰＰ−ＬＴＥシステム（Long Term Evolution）では、パケットコアネットワークとして設けられるコアネットワークＮＴ１に設けられるノードＮＤ１やＮＤ２は、移動管理制御を行う論理ノードであるＭＭＥ（Mobility Management Entity）や、Ｓ−ＧＷ（Serving-Gateway）である。Ｓ−ＧＷは、パケットコアネットワークと、Ｅ−ＵＴＲＡＮ（Evolved Universal Terrestrial Radio Access Network）である無線アクセスネットワークＮＴ２との間のゲートウェイである。
【００１３】
また例えば、３ＧＰＰ−ＬＴＥシステムでは、基地局間インタフェースＩ２はＸ２インタフェースと呼ばれ、ＭＭＥと基地局（ｅＮＢ）を結ぶノード基地局間インタフェースＩ１はＳ１−ＭＭＥインタフェースと呼ばれ、Ｓ−ＧＷと基地局（ｅＮＢ）を結ぶノード基地局間インタフェースＩ１はＳ１−Ｕインタフェースと呼ばれる。
【００１４】
図２は、開示の基地局Ｂ１の受信部構成を示すブロック図である。他の基地局Ｂ２及びＢ３の構成も基地局Ｂ１と同様である。基地局Ｂ１は、ユーザ端末ＵＥからの無線信号を受信するアンテナ１１と、無線信号を受信する無線受信部１２と、基地局Ｂ１にて送受信されるベースバンド信号の信号処理を行うベースバンド信号処理部１３と、制御部１４と、呼処理を行う呼処理部１５と、インタフェースＩ１及びＩ２を経由して他の基地局Ｂ２及びＢ３やノードＮＤ１及びＮＤ２と通信する際のインタフェースである通信網伝送インタフェース１６を備える。
【００１５】
制御部１４は、基地局Ｂ１の無線受信部１２、ベースバンド信号処理部１３及び呼処理部１５等の監視や制御や、基地局全体又は一部の制御を行うほか、基地局Ｂ２及びＢ３やノードＮＤ１及びＮＤ２との間の通信や、以下に説明する処理を実行する。
【００１６】
ベースバンド信号処理部１３は、受信部インタフェース２１と、上りリンク処理部２２と、ＭＡＣ／ＲＬＣ部２３と、ベースバンド制御部２４と、他部インタフェース２５を備える。
受信部インタフェース２１は、無線受信部１２とベースバンド信号処理部１３とのインタフェースであり、他部インタフェース２５は、ベースバンド信号処理部１３と、他のブロック１４〜１６との間の装置内インタフェースである。
【００１７】
上りリンク処理部２２は、受信部インタフェース２１を介して受信された信号の復調及び復号処理を行う。
ＭＡＣ／ＲＬＣ部２３は、上りリンク処理部２２により復調及び復号された信号の媒体アクセス制御処理や無線リンク制御処理を行う。
ベースバンド制御部２４は、ベースバンド信号処理部１３の全部又は一部に対する制御を行うほか、以下に説明する処理を実行する。
【００１８】
図２に開示される基地局Ｂ１は、所定の条件の下で、ユーザ端末ＵＥが送信するプリアンブルの一部を破棄し、応答しない。以下、本明細書では、ユーザ端末ＵＥから送信されるプリアンブルを破棄するための基地局Ｂ１の処理について説明し、基地局Ｂ１のその他の処理については説明を省略する。
【００１９】
図３は、プリアンブルの破棄に関する上りリンク処理部２２の構成例を示すブロック図である。上りリンク処理部２２は、受信部インタフェース２１を介して受信した受信信号の復調及び復号を行う復調／復号部３０と、プリアンブル検出部３１と、プリアンブルカウント部３２と、プリアンブル生成部３３と、プリアンブルマスク部３４とを備える。
【００２０】
プリアンブル検出部３１は、復調／復号部３０により復調及び復号された受信信号と、プリアンブル生成部３３から供給される所定パターンのプリアンブルパターンとの相関処理を行い、設定値以上の相関ピークが検出されるプリアンブルを検出して、検出されたプリアンブルのみをＭＡＣ／ＲＬＣ部２３へ出力する。
プリアンブルカウント部３２は、プリアンブル生成部３３から供給される所定パターンのプリアンブルパターンと受信信号との相関処理を行ってプリアンブルを検出し、検出されたプリアンブル数すなわち基地局Ｂ１に受信されたプリアンブルの受信回数をカウントする。
【００２１】
プリアンブル生成部３３は、基地局Ｂ１が使用するものとして予めユーザ端末ＵＥに報知される複数のプリアンブルパターンを順に発生させて、プリアンブル検出部３１及びプリアンブルカウント部３２に供給する。
プリアンブルマスク部３４は、プリアンブル生成部３３からプリアンブル検出部３１に供給されるプリアンブルパターンの中に、後述するベースバンド制御部２４の破棄プリアンブル決定部４３によって決定されたプリアンブル系列に対応するパターンが含まれないように、プリアンブル生成部３３が生成するプリアンブルパターンのマスク処理を行う。
【００２２】
プリアンブルマスク部３４によってマスクされたプリアンブルパターンは、プリアンブル生成部３３からプリアンブル検出部３１に供給されない。したがって、マスクされたプリアンブルパターンと同じプリアンブルパターンを含む信号が受信されても、プリアンブル検出部３１はＭＡＣ／ＲＬＣ部２３へ出力しない。このため、このプリアンブルパターンを含む信号は破棄され、基地局Ｂ１はこのプリアンブルに対する応答を行わない。
なお、プリアンブル検出部３１、プリアンブル生成部３３及びプリアンブルマスク部３４は、プリアンブル破棄部に相当する。
【００２３】
図４は、プリアンブルの破棄に関するベースバンド制御部２４の第１構成例を示すブロック図である。ベースバンド制御部２４は、モード決定部４０と、破棄率決定部４１と、破棄プリアンブル数決定部４２と、破棄プリアンブル決定部４３と、破棄情報生成部４４と、を備える。
【００２４】
モード決定部４０は、図３を参照して説明したプリアンブルカウント部３２によりカウントされた所定周期当たりのプリアンブルの受信回数に従って、現在輻輳が生じている状態なのか、通常の状態なのかを判定する。
破棄率決定部４１は、プリアンブルの受信回数に従って破棄率を決定する。すなわち受信したプリアンブルのうち、どれくらいの割合のプリアンブルを破棄すべきであるかを決定する。
【００２５】
破棄プリアンブル数決定部４２は、破棄率決定部４１が決定した破棄率にしたがって、破棄すべきプリアンブルに含まれるプリアンブルパターンを指定するためのプリアンブル系列の数を決定する。以下、説明の簡単のため、「破棄すべきプリアンブルに含まれるプリアンブルパターンを指定するためのプリアンブル系列」を「破棄すべきプリアンブル系列」と記載することがある。
ここで、開示の基地局Ｂ１がプリアンブルパターンに使用する符号列について説明する。基地局Ｂ１は、例えば３ＧＰＰ−ＬＴＥシステムにて仕様に盛り込まれているＣＡＺＡＣ系列であるＺａｄｏｆｆ−Ｃｈｕ系列を使用することができる。
【００２６】
Ｚａｄｏｆｆ−Ｃｈｕ系列は、所定のシフト間隔Ｑビットによる巡回シフトを繰り返し行うことで、１つのＺａｄｏｆｆ−Ｃｈｕ系列符号から複数の直交符号を生成することができる。例えば図５に示す例では、巡回シフト数ｓ＝０すなわちシフト量０のＺａｄｏｆｆ−Ｃｈｕ系列符号がプリアンブルパターンとしてユーザ端末ＵＥ＃０に与えられる。
ユーザ端末ＵＥ＃１には、ユーザ端末ＵＥ＃０に与えられたＺａｄｏｆｆ−Ｃｈｕ系列符号を１回分巡回シフトさせた（すなわちシフト量Ｑビットだけシフトさせた）符号が与えられる。また、ユーザ端末ＵＥ＃２には、ユーザ端末ＵＥ＃０に与えられたＺａｄｏｆｆ−Ｃｈｕ系列符号を２回分巡回シフトさせた（すなわちシフト量２×Ｑビットだけシフトさせた）符号が与えられる。以下、Ｚａｄｏｆｆ−Ｃｈｕ系列符号に対して行う巡回シフトの回数を「巡回シフト数」と示す。
【００２７】
巡回シフトによって生成されるプリアンブルパターンの数が足りない場合には、異なる系列番号のＺａｄｏｆｆ−Ｃｈｕ系列符号を用いることができる。
このため、Ｎ個の系列のＺａｄｏｆｆ−Ｃｈｕ系列符号を用い、かつ各Ｚａｄｏｆｆ−Ｃｈｕ系列符号を０〜（Ｓ−１）回分巡回シフトさせた符号を、プリアンブルパターンとして使用すると、全部でＮ×Ｓ個のプリアンブルパターンを使用することができる。
【００２８】
各プリアンブルパターンを与えるために使用されるＺａｄｏｆｆ−Ｃｈｕ系列符号の系列番号をｎ（ｎ＝０〜（Ｎー１））、巡回シフト数をｓ（ｓ＝０〜（Ｓ−１））とすると、各プリアンブルパターンをｐ＝ｎ×Ｓ＋ｓをインデックスとして識別することができる。以下、本明細書においてこのインデックスｐを、「プリアンブル系列」と示す。図６は、Ｚａｄｏｆｆ−Ｃｈｕ系列を４個使用し（Ｎ＝４）であり、各符号を８回（Ｓ＝８）巡回シフトさせて使用する場合のプリアンブル系列の例を示す。本例ではプリアンブルパターンとして３２個のプリアンブルパターンが使用され、表中の０〜３１がプリアンブル系列ｐを示す。
【００２９】
基地局Ｂ１がプリアンブルパターンとして使用できる符号列はＺａｄｏｆｆ−Ｃｈｕ系列だけではなく、様々な符号列を使用することができる。図７に例を示す。例えば、複数のＺａｄｏｆｆ−Ｃｈｕ系列符号の代わりとして、複数の系列番号０、１、２、３、…のそれぞれについてＬビットの符号列ｂ０１〜ｂ０Ｌ、ｂ１１〜ｂ１Ｌ、ｂ２１〜ｂ２Ｌ、ｂ３１〜ｂ３Ｌ、…を予め定めて、テーブルに保持しておいてもよい。そしてＺａｄｏｆｆ−Ｃｈｕ系列と同様に、各系列番号の符号列を巡回シフトさせて使用してもよい。以下の説明では、簡単のため基地局Ｂ１が図６に示すプリアンブル系列を使用するものとして、説明を行う。
【００３０】
図４の破棄プリアンブル数決定部４２は、基地局Ｂ１にて使用するために予め定めたプリアンブル系列の総数に占める、破棄すべきプリアンブル系列の数（すなわち図３に示すプリアンブルマスク部３４によりマスクされるプリアンブル系列の数）の比率が、破棄率決定部４１が決定した破棄率以上となるように、破棄すべきプリアンブル系列の数を決定する。
破棄プリアンブル決定部４３は、基地局Ｂ１にて使用するために予め定めた複数のプリアンブル系列の中から、破棄プリアンブル数決定部４２によって決定されたプリアンブル系列の数のプリアンブル系列を決定する。そして決定したプリアンブル系列を、マスクすべきプリアンブル系列としてプリアンブルマスク部３４へ通知する。
破棄情報生成部４４は、プリアンブルカウント部３２がカウントしたプリアンブルの受信数や、プリアンブル破棄の実行の有無、破棄率決定部４１が決定した破棄率、破棄プリアンブル決定部４３が決定したプリアンブル系列などの情報を含む所定の破棄情報を作成し、後述する制御部１４の破棄情報通知部５１へ出力する。
【００３１】
図８は、プリアンブルの破棄に関する制御部１４の第１構成例を示すブロック図である。制御部１４は、破棄情報生成部４４から受信した破棄情報を、他の基地局Ｂ２及びＢ３や、ノードＮＤ１及びＮＤ２へ通知する破棄情報通知部５１を備える。
【００３２】
以下、本基地局Ｂ１によって行われる、ユーザ端末ＵＥから送信されるプリアンブルの破棄処理について説明する。図９は、本通信システム１におけるユーザ端末ＵＥと基地局Ｂ１とノードＮＤ１間のデータのやりとりを示すシーケンス図である。
ステップＳ１では、送信やハンドオーバしようとするユーザ端末ＵＥは、予め基地局Ｂ１から報知されている複数のプリアンブルパターンの中から選択した１つのパターンを含むプリアンブルを基地局Ｂ１に送信する。
【００３３】
ステップＳ２では、ステップＳ１にてプリアンブルを受信した基地局Ｂ１が、このプリアンブルに対する応答信号をユーザ端末ＵＥへ送信する。
ステップＳ３では、プリアンブルに対する応答信号を受信したユーザ端末ＵＥは、所定の通信プロトコルによる回線接続を要求する接続要求信号を基地局Ｂ１へ送信する。
ステップＳ４では、接続要求信号を受信した基地局Ｂ１が、接続に必要なパラメータを通知する接続設定信号をユーザ端末ＵＥに送信する。
ステップＳ５では、ユーザ端末ＵＥは、接続設定を完了したことを知らせる接続設定完了信号を基地局Ｂ１へ送信し、ステップＳ６では、基地局Ｂ１は、接続設定が完了したユーザ端末の識別子などを含む端末初期メッセージをノードＮＤ１に送信する。
【００３４】
例えば３ＧＰＰ−ＬＴＥシステムにおいては、ステップＳ１のプリアンブルはＲＡＣＨ(Random Access Channel)  ｐｒｅａｍｂｌｅメッセージであり、ステップＳ２の応答信号はＲＡＣＨ  ｒｅｓｐｏｎｓｅメッセージであり、ステップＳ３の接続要求信号はＲＲＣ（Radio Resource Control）  ＣＯＮＮＥＣＴＩＯＮ  ＲＥＱＵＥＳＴメッセージであり、ステップＳ４の接続設定信号はＲＲＣ  ＣＯＮＮＥＣＴＩＯＮ  ＳＥＴＵＰメッセージであり、ステップＳ５の接続設定完了信号はＲＲＣ  ＣＯＮＮＥＣＴＩＯＮ  ＳＥＴＵＰ  ＣＯＭＰＬＥＴＥメッセージであり、ステップＳ６の端末初期メッセージはＩＮＩＴＩＡＬ  ＵＥメッセージである。
【００３５】
図１０は、基地局Ｂ１におけるプリアンブルの受信処理及び応答の送信処理の第１例を示すフローチャートである。
はじめにステップＳ１０において、図４に示すベースバンド制御部のモード決定部４０は、基地局Ｂ１の動作モードを「通常状態」及び「輻輳状態」のうち「通常状態」に設定する。
ステップＳ１１では、ユーザ端末ＵＥから送信されたプリアンブルを、図２に示す無線受信部１２が受信する。
ステップＳ１２では、図３に示す上りリンク処理部２２のプリアンブルカウント部３２が、所定の周期内に受信されたプリアンブル数をカウントする。
【００３６】
ステップＳ１３において、基地局Ｂ１の動作モードが「通常状態」であるときは、ステップＳ１４において、モード決定部４０は輻輳が発生しているか否かを判定する。
モード決定部４０は、ステップＳ１２にてカウントされたプリアンブル受信数Ｐｃｎｔをプリアンブルカウント部３２から受信し、プリアンブル受信数Ｐｃｎｔが所定の輻輳判定閾値Ｔｓｒを超えるとき、輻輳が発生していると判定する。
【００３７】
輻輳が発生していると判定されたとき、モード決定部４０は、ステップＳ１５にて基地局Ｂ１の動作モードを「輻輳状態」に変更し、ステップＳ１３に戻る。モード決定部４０により輻輳が発生していないと判定されたときは、ステップＳ１６に移行する。
ステップＳ１６において、図３に示すプリアンブル検出部３１は、プリアンブル生成部３３から供給されるプリアンブルパターンと受信信号のパターンとの相関処理を行い、受信信号に含まれるプリアンブルを検出する。基地局Ｂ１の動作モードが「通常状態」にある場合には、プリアンブルマスク部３４は、プリアンブル生成部３３が生成するプリアンブルパターンのマスク処理を行わない。したがって基地局Ｂ１の動作モードが「通常状態」にある場合には、ユーザ端末ＵＥから送信されたプリアンブルの破棄は行われない。
【００３８】
図１１の（Ａ）は、通常状態において基地局Ｂ１にて使用されるプリアンブル系列の例を示し、図１１の（Ｂ）は通常状態における基地局Ｂ１内のプリアンブルの受信処理の説明図である。図１１の（Ａ）に示すプリアンブル系列は、図５及び６を参照して説明したプリアンブル系列と同様である。
本例では、通常状態において基地局Ｂ１は、図１１の（Ａ）に示すプリアンブル系列０〜３１のプリアンブルを全て使用する。したがって図１１の（Ｂ）に示すように、上りリンク処理部２２のプリアンブル検出部３１は、無線受信部１２により受信された、プリアンブル系列２、６、８、１３及び２１のプリアンブルを全て検出し、ＭＡＣ／ＲＬＣ部２３へ出力する。
ステップＳ１７では、ＭＡＣ／ＲＬＣ部２３にて受信されたプリアンブルに対する応答信号が、図示しない信号送信手段によってユーザ端末ＵＥに返信される。
【００３９】
ステップＳ１５にて基地局Ｂ１の動作モードが「輻輳状態」に変更されると、ステップＳ１３の分岐において、ステップＳ１８へ移行する。ステップＳ１８において、図４に示すモード決定部４０は、輻輳が解消しているか否かを判定する。
モード決定部４０は、プリアンブルカウント部３２から受信したプリアンブル受信数Ｐｃｎｔが、所定の輻輳解消判定閾値Ｔｓｐ以下となるとき輻輳が解消したと判定する。
【００４０】
輻輳が解消したと判定されたとき、モード決定部４０は、ステップＳ１９にて基地局Ｂ１の動作モードを「通常状態」に変更し、ステップＳ２１に移行する。モード決定部４０により輻輳が解消していないと判定されたときは、ステップＳ２０に移行する。ステップＳ２０では、無線受信部１２により受信されたプリアンブルの少なくとも一部を選択して破棄する処理が行われる。
【００４１】
図１２は、図１０に示したプリアンブルの破棄ルーチンＳ２０のフローチャートである。ステップＳ３０では、図４に示すベースバンド制御部２４の破棄率決定部４１が、破棄率を決定する。ここで破棄率とは、無線受信部１２により受信されたプリアンブルのうち、破棄すべきブリアンブルが占める割合である。
破棄率決定部４１は、プリアンブル受信数Ｐｃｎｔをプリアンブルカウント部３２から受信し、プリアンブル受信数Ｐｃｎｔに応じて破棄率を決定する。
【００４２】
破棄率決定部４１は、例えば、所定の計算式に基づいて破棄率を決定してもよい。例えば、基地局Ｂ１にて所定周期内に受信するプリアンブルの許容上限数をＰａｌとし、輻輳時に処理するプリアンブルの目標数を、（許容上限数Ｐａｌ）×（目標制限率Ｒｔｇ（％））とすれば、破棄率ｒは、次式（１）によって計算することができる。
ｒ＝（Ｐｃｎｔ−Ｐａｌ×Ｒｔｇ）／Ｐｃｎｔ          （１）
【００４３】
破棄率決定部４１は、例えば、プリアンブル受信数Ｐｃｎｔに応じた破棄率のルックアップテーブルを予め記憶し、プリアンブルカウント部３２から受信したプリアンブル受信数Ｐｃｎｔに対応する破棄率ｒをこのテーブルから検索することにより破棄率ｒを求めてもよい。図１３に示すルックアップテーブルは、許容上限数Ｐａｌを２００回とし、目標制限率Ｒｔｇを７０％とした場合における、プリアンブル受信数Ｐｃｎｔに対応する破棄率ｒのルックアップテーブルである。
ルックアップテーブルに含まれる各値は固定されていてもよく、また、許容上限数Ｐａｌや目標制限率Ｒｔｇが変更される都度、上記の式（１）を使用して再度計算して更新してもよい。
【００４４】
複数の許容上限数Ｐａｌや目標制限率Ｒｔｇに対応する、複数のルックアップテーブルを予め記憶しておいてもよい。そして許容上限数Ｐａｌや目標制限率Ｒｔｇを変更したときに、これら複数のルックアップテーブルの中から使用するテーブルを切り替えてもよい。図１４に示すルックアップテーブルは、許容上限数Ｐａｌを２００回とし、目標制限率Ｒｔｇをそれぞれ６０％と７０％とした場合における、プリアンブル受信数Ｐｃｎｔに対応する破棄率ｒのルックアップテーブルである。
図４の破棄率決定部４１は、決定した破棄率ｒを破棄プリアンブル数決定部４２へ通知する。
【００４５】
図１２のステップＳ２１では、プリアンブルマスク部３４にてマスクするプリアンブル系列が破棄率ｒに応じて決定される。図１５は、図１２に示した破棄するプリアンブル系列の決定ルーチンＳ３１の第１例のフローチャートである。
ステップＳ４０において、図４の破棄プリアンブル数決定部４２は、破棄率ｒに応じて破棄すべきプリアンブル系列の数を決定する。破棄すべきプリアンブル系列の指定単位は、プリアンブル系列でもよく、巡回シフト数ｓでもよく、Ｚａｄｏｆｆ−Ｃｈｕ系列の系列番号ｎでもよい。
図６に示すプリアンブル系列の例では、プリアンブル系列の指定単位を巡回シフト数ｓとすると１つの巡回シフト数当たり４個のプリアンブル系列が指定され、プリアンブル系列の指定単位を系列番号ｎとすると１つの系列番号当たり８個のプリアンブル系列が指定される。
【００４６】
破棄プリアンブル数決定部４２は、例えば、所定の計算式に基づいて破棄すべきプリアンブル系列の数を決定してよい。プリアンブル系列の指定単位がプリアンブル系列であるとき、破棄すべきプリアンブル系列の数ｐは次式（２）によって算出できる。
【００４７】
ｐ＝ｒｏｕｎｄｕｐ（Ｓ×Ｎ×ｒ）      （２）
【００４８】
ここで、巡回シフト数ｓの範囲が０〜（Ｓ−１）であり、系列番号ｎの範囲が０〜（Ｎ−１）であり（図６に示すプリアンブル系列の例ではＳ＝８、Ｎ＝４）、ｒはステップＳ３０で決定された破棄率ｒであるとする。またｒｏｕｎｄｕｐ（ｘ）はｘ以上の最小の整数を示す。以下の式（３）及び（４）でも同様である。
プリアンブル系列の指定単位を巡回シフト数とするとき、破棄すべきプリアンブル系列を指定する巡回シフト数の数ｓは次式（３）によって算出できる。
【００４９】
ｓ＝ｒｏｕｎｄｕｐ（Ｎ×ｒ）      （３）
【００５０】
プリアンブル系列の指定単位をＺａｄｏｆｆ−Ｃｈｕ系列の系列番号とするとき、破棄すべき系列を指定する系列番号の系列数ｎは次式（４）によって算出できる。
【００５１】
ｎ＝ｒｏｕｎｄｕｐ（Ｓ×ｒ）      （４）
【００５２】
破棄プリアンブル数決定部４２は、例えば、破棄率ｒに応じて、破棄すべきプリアンブル系列の数を与えるルックアップテーブルを予め記憶し、破棄率決定部４１から受信した破棄率に対応するプリアンブル系列の数をこのテーブルから検索してもよい。図１６〜１８は、プリアンブル系列の指定単位を、それぞれプリアンブル系列、巡回シフト数、系列符号の系列番号とする場合のルックアップテーブルの例を示す。
破棄プリアンブル数決定部４２は、決定したプリアンブル系列数を図４の破棄プリアンブル決定部４３へ通知する。
【００５３】
ステップＳ４１において、破棄プリアンブル決定部４３は、破棄プリアンブル数決定部４２により指定された数のプリアンブル系列を指定する。破棄プリアンブル決定部４３は、指定したプリアンブル系列を、破棄すべきプリアンブル系列すなわちマスクすべきプリアンブル系列として、図３に示すプリアンブルマスク部３４へ通知する。
例えば、破棄プリアンブル決定部４３は、破棄プリアンブル数決定部４２により指定されたプリアンブル系列の数に応じて破棄すべきプリアンブル系列を与えるルックアップテーブルを予め記憶し、破棄プリアンブル数決定部４２により指定された数に対応するプリアンブル系列をこのテーブルから検索してもよい。
【００５４】
図１９は、プリアンブル系列の指定単位がプリアンブル系列であるときに、破棄すべきプリアンブル系列を与えるルックアップテーブルの例を示す。
図２０は、プリアンブル系列の指定単位が巡回シフト数ｓであるときに、破棄すべきプリアンブル系列を指定する巡回シフト数ｓを与えるルックアップテーブルの例を示す。
図２１は、プリアンブル系列の指定単位がＺａｄｏｆｆ−ｃｈｕ系列の系列番号ｎであるときに、破棄すべきプリアンブル系列を指定する系列番号ｎを与えるルックアップテーブルの例を示す。
【００５５】
また、例えば破棄プリアンブル決定部４３は、図６に示す全てのプリアンブル系列０〜３１の中から、破棄プリアンブル数決定部４２によって指定された数のプリアンブル系列をランダムに選択して、破棄すべきプリアンブル系列としてもよい。
【００５６】
また上記のいずれかの方法によって破棄すべきプリアンブル系列を決定するとき、予め１以上のプリアンブル系列を指定しておき、破棄すべきプリアンブル系列の候補から除外しておいてもよい。例えば図２２に示すプリアンブル系列のように、プリアンブル系列０〜３１のうち、プリアンブル系列０、１０、２０及び３０を、破棄すべきプリアンブル系列の候補から除外する。
【００５７】
これらのプリアンブル系列０、１０、２０及び３０に対応するプリアンブルパターンはプリアンブルマスク部３４によってマスクされないから、これらのプリアンブルパターンを有するプリアンブルは、本明細書により説明されるプリアンブルの破棄処理によって破棄されないことになる。
したがって、警察や消防などへの緊急呼や優先加入者からの優先呼等のプリアンブルにこれらのプリアンブル系列を割り当てることにより、輻輳時においてこれら緊急呼及び優先呼を優先的に取り扱うことが可能となる。
【００５８】
図１２のステップＳ３２では、図３に示すプリアンブルマスク部３４は、プリアンブル生成部３３からプリアンブル検出部３１に供給されるプリアンブルパターンの中に、破棄プリアンブル決定部４３により指定されたプリアンブル系列に対応するパターンが含まれないようにプリアンブル生成部３３が生成するプリアンブルパターンのマスク処理を行う。例えば、プリアンブルマスク部３４は、プリアンブル生成部３３が図６に示すプリアンブル系列０〜３１に対応する各プリアンブルパターンを順次発生させるとき、破棄プリアンブル決定部４３により指定されたプリアンブル系列に対応するパターンの発生を禁止する。
【００５９】
またステップＳ３３では、図４に示す破棄情報生成部４４が、プリアンブルカウント部３２がカウントしたプリアンブルの受信数や、プリアンブル破棄の実行の有無、破棄率ｒ、破棄すべきプリアンブル系列として指定されたプリアンブル系列などの情報を含む所定の破棄情報を作成し、図８に示す破棄情報通知部５１へ出力する。破棄情報通知部５１は、この破棄情報を、他の基地局Ｂ２及びＢ３やノードＮＤ１及びＮＤ２へ通知する。
【００６０】
図１０のステップＳ２１において、図３に示すプリアンブル検出部３１は、プリアンブルマスク部３４によってマスクされていないプリアンブル系列に対応するプリアンブルパターンのみと受信信号のパターンとの相関処理を行い、受信信号に含まれるプリアンブルを検出し、ステップＳ１７へ移行する。
したがって、基地局Ｂ１の動作モードが「輻輳状態」にある場合には、プリアンブルマスク部３４によってマスクされたプリアンブル系列に対応するプリアンブルパターンを有するプリアンブルはプリアンブル検出部３１によって検出されずに破棄される。
【００６１】
図２３の（Ａ）は、輻輳状態において基地局Ｂ１にて使用されるプリアンブル系列の例を示し、図２３の（Ｂ）は輻輳状態における基地局Ｂ１内のプリアンブルの受信処理の説明図である。  図２３の（Ａ）に示すプリアンブル系列は、図１１の（Ａ）に示すプリアンブル系列と同様である。
本例では、輻輳状態において基地局Ｂ１は、巡回シフト数ｓ＝５、６及び７のプリアンブル系列のパターンを有するプリアンブルが破棄される。したがって図１１の（Ｂ）に示すように、上りリンク処理部２２のプリアンブル検出部３１は、無線受信部１２により受信されたプリアンブルのうち、プリアンブル系列６、１３及び２１のプリアンブルの検出を行わず、ＭＡＣ／ＲＬＣ部２３へ出力しないで破棄する。
【００６２】
開示の基地局Ｂ１によれば、プリアンブル系列によって破棄するプリアンブルの指定を行うことができるため、上述のように緊急呼や優先呼といった優先度に応じたサービスを行うことができる。
また、プリアンブルの受信時に破棄する処理を基地局で行うことによって、このプリアンブルを発したユーザ端末ＵＥのための処理負荷が上位装置に及ぶことを防止できる。
さらに、ユーザ端末ＵＥへの発信規制の通知を行う必要がないため、基地局の処理を殆ど増やさずに基地局や上位装置の処理負荷を軽減できる。
さらにまた、ユーザ端末ＵＥへの発信規制の通知を行う場合に比べ、輻輳を検出してからすぐに制御を行うことができるため、短期間で基地局や上位装置の処理負荷を軽減できる。
【００６３】
図２４は、図１２に示した破棄するプリアンブル系列の決定ルーチンＳ３１の第２例のフローチャートである。
本例において、破棄プリアンブル決定部４３は、破棄率決定部４１が決定した破棄率ｒに応じて破棄すべきプリアンブル系列を決定する（ステップＳ５０）。したがって本例において破棄プリアンブル決定部４３は、破棄プリアンブル数決定部４２が決定した破棄すべきプリアンブル系列の数を使用しない。このため本方法による場合には破棄プリアンブル数決定部４２を省略してもよい。
【００６４】
例えば破棄プリアンブル決定部４３は、破棄率ｒに応じて破棄すべきプリアンブル系列を与えるルックアップテーブルを予め記憶し、破棄率決定部４１により指定された破棄率ｒに対応するプリアンブル系列をこのテーブルから検索してもよい。
図２５は、プリアンブル系列の指定単位がプリアンブル系列であるときに、破棄率ｒに応じて破棄すべきプリアンブル系列を与えるルックアップテーブルの例を示す。
図２６は、プリアンブル系列の指定単位が巡回シフト数ｓであるときに、破棄率ｒに応じて破棄すべきプリアンブル系列を指定する巡回シフト数ｓを与えるルックアップテーブルの例を示す。
図２７は、プリアンブル系列の指定単位がＺａｄｏｆｆ−ｃｈｕ系列の系列番号ｎであるときに、破棄率ｒに応じて破棄すべきプリアンブル系列を指定する系列番号ｎを与えるルックアップテーブルの例を示す。
【００６５】
また、破棄プリアンブル決定部４３は、所定の手順によってプリアンブル系列を並べたときの各プリアンブル系列の順位である系列順位を決定する。プリアンブル系列を並べる手順は例えばランダムな配列方法であってもよい。
そして予め記憶しておいた破棄率ｒに応じて系列順位を与えるルックアップテーブルの中から、破棄率決定部４１により指定された破棄率ｒに対応する系列順位を検索し、見つかった系列順位に対応するプリアンブル系列を破棄すべきプリアンブル系列として決定してもよい。
【００６６】
図２８は、プリアンブル系列の指定単位がプリアンブル系列であるときの、プリアンブル系列を並べたときの系列順位とプリアンブル系列の対応テーブルを示し、図２９は、破棄率に対応して系列順位を与えるルックアップテーブルの例を示す図である。破棄すべきプリアンブル系列の指定単位を巡回シフト数ｓ又は系列符号の系列番号ｎとしても、同様の方法で破棄すべきプリアンブル系列を決定することができる。
【００６７】
図３０は、プリアンブルの破棄に関するベースバンド制御部２４の第２構成例を示すブロック図である。本例のベースバンド制御部２４は、プリアンブルカウント部３２が、プリアンブル系列毎に測定された所定周期内におけるプリアンブル受信回数にしたがって、破棄すべきプリアンブル系列を決定する。このため、ベースバンド制御部２４は、プリアンブル系列に対するプリアンブル受信回数の累積度数を生成する累積度数生成部４５を備える。
また本構成例では、図３に示すプリアンブルカウント部３２は、所定周期内におけるプリアンブル受信回数をプリアンブル系列毎に測定する。
モード決定部４０、破棄率決定部４１及び破棄情報生成部４４の処理は、図４を参照して説明したベースバンド制御部２４の第１構成例と同様であるため説明を省略する。
【００６８】
図３１は、図３０の示すベースバンド制御部２４によって行われる、図１２に示した破棄するプリアンブル系列の決定ルーチンＳ３１の第３例のフローチャートである。
ステップＳ６０において、累積度数生成部４５は、プリアンブル系列０〜３１を所定の手順に従って並べた順序列を作成する。
図３２は、プリアンブル系列を並べたときの系列順位とプリアンブル系列の対応テーブルである。プリアンブル系列を並べる順序は、図３に示すプリアンブルカウント部３２が測定したプリアンブル受信回数にしたがって、昇順や降順でならべてもよくランダムに並べてもよい。また、プリアンブル系列０〜３１を並べ直す処理を省略して、プリアンブル系列の系列順で並べてもよい。
【００６９】
ステップＳ６１では、累積度数生成部４５は、ステップＳ６１で定めた順序で並べたプリアンブル系列について、それぞれのプリアンブル系列の受信回数の累積度数を生成する。図３３は、プリアンブル系列に対するプリアンブル受信回数の累積度数を示す。
ステップＳ６２では、破棄プリアンブル決定部４３は、破棄決定部４１が決定した破棄率ｒと、累積度数生成部４５が生成した累積度数にしたがって、破棄すべきプリアンブル系列を決定し、決定したプリアンブル系列をプリアンブルマスク部３４へ出力する。
【００７０】
破棄プリアンブル決定部４３は、累積度数生成部４５が生成した累積度数において、累積度数が破棄率ｒ以上となる点のプリアンプル系列の順位を決定する。そして決定された順位以下の数字の順位を有するプリアンプル系列を破棄すべきプリアンブル系列として決定する。
このように決定することにより、破棄プリアンブル決定部４３は、基地局Ｂ１が受信したプリアンブルのうち、破棄率ｒ以上の割合で受信されたプリアンブル系列またはその集合を決定することができる。
【００７１】
上記の図３１〜３３に示す例では、破棄すべきプリアンブル系列の指定単位をプリアンブル系列としたが、巡回シフト数ｓ又は系列符号の系列番号ｎを指定単位としても、同様の方法で破棄すべきプリアンブル系列を決定することができる。
また、図３１に示すプリアンブル系列の決定方法はあくまでも一例であり、ベースバンド制御部２４は、基地局Ｂ１が受信したプリアンブルのうち、破棄率決定部４１により決定された破棄率以上の割合で受信されたプリアンブル系列またはその集合を決定するために、様々な方法を使用できることは明らかである。
【００７２】
図３４は、プリアンブルの破棄に関する制御部１４の第２構成例を示すブロック図であり、図３５は、プリアンブルの破棄に関するベースバンド制御部２４の第３構成例を示すブロック図である。
本実施例では、呼処理部１５が処理する呼の処理数や基地局Ｂ１のＭＰＵ処理量などの負荷量に応じて、輻輳状態であるか否かを判定しまた破棄すべきプリアンブルの破棄率ｒを決定する。
【００７３】
そのため、制御部１４は、処理負荷測定部５２と、負荷指数決定部５３と、破棄情報通知部５１を備える。処理負荷測定部５２は、基地局Ｂ１のＭＰＵ処理量などの処理負荷を測定する。
負荷指数決定部５３は、呼処理部１５がカウントした所定周期内の呼処理量と、処理負荷測定部５２が測定した処理負荷に応じて、基地局Ｂ１の負荷量を示す所定の負荷指数を決定する。
破棄情報通知部５１は、ベースバンド制御部２４の破棄情報生成部４４に生成された付加情報に、呼処理量やＭＰＵ処理量などの処理負荷量に関する情報を付加して、他の基地局Ｂ２及びＢ３や、ノードＮＤ１及びＮＤ２へ通知する。
【００７４】
ベースバンド制御部２４のモード決定部４０は、負荷指数決定部５３が決定した負荷指数に従って、現在輻輳が生じている状態なのか通常の状態なのかを判定する。
図１０に示すフローチャートにおいて、ステップＳ１２において負荷指数決定部５３が負荷指数を測定する。
【００７５】
基地局Ｂ１の動作モードが「通常状態」にあるステップＳ１４では、モード決定部４０は、測定された負荷指数Ｌｇが所定の輻輳判定閾値Ｌｓｒを超えるとき、輻輳が発生していると判定する。
基地局Ｂ１の動作モードが「輻輳状態」にあるステップＳ１８では、モード決定部４０は、測定された負荷指数Ｌｇが所定の輻輳判定閾値Ｌｓｐ以下となるとき、輻輳が解消していると判定する。
【００７６】
破棄率決定部４１は、測定された負荷指数Ｌｇに従って破棄率ｒを決定する。破棄プリアンブル数決定部４２、破棄プリアンブル決定部４３及び破棄情報生成部４４の処理は、図４を参照して説明したベースバンド制御部２４の第１構成例の破棄プリアンブル数決定部４２、破棄プリアンブル決定部４３及び破棄情報生成部４４の処理と同様であるため説明を省略する。
【００７７】
破棄率決定部４１は、例えば、所定の計算式に基づいて破棄率を決定してもよい。例えば、負荷指数の目標値をＬｔｇとして定めて、破棄率を次式（５）によって計算してもよい。
ｒ＝（Ｌｇ−Ｌｔｇ）／Ｌｇ          （５）
【００７８】
破棄率決定部４１は、例えば、負荷指数に応じた破棄率のルックアップテーブルを予め記憶し、負荷指数決定部５３から受信した負荷指数Ｌｇに対応する破棄率ｒをこのテーブルから検索することにより破棄率ｒを求めてもよい。図３６に示すテーブルは、目標値の負荷指数Ｌｔｇを７０％とした場合におけるルックアップテーブルである。
ルックアップテーブルに含まれる各値は固定されていてもよく、また、目標値の負荷指数Ｌｔｇが変更される都度、上記の式（５）を使用して再度計算して更新してもよい。
【００７９】
目標値の負荷指数Ｌｔｇに対応する、複数のルックアップテーブルを予め記憶しておいてもよい。そして目標値の負荷指数Ｌｔｇを変更したときに、これらの複数のルックアップテーブルの中から使用するテーブルを切り替えてもよい。図３７に示すルックアップテーブルは、目標値の負荷指数Ｌｔｇをそれぞれ６０％及び７０％とした場合におけるルックアップテーブルである。
【００８０】
なお、モード決定部４０及び破棄率決定部４１は、輻輳状態であるか否かの判定及び破棄率ｒの決定を負荷指数Ｌｔに基づいて行うのに加えて、図４に示すモード決定部４０及び破棄率決定部４１と同様に、プリアンブルカウント部によりカウントされたプリアンブル受信回数に基づいて輻輳状態であるか否かの判定及び破棄率ｒの決定を行ってもよい。このとき例えば、破棄率決定部４１は、負荷指数Ｌｔに基づいて決定した破棄率と、プリアンブル受信回数に基づいて決定した破棄率とのうちより大きい破棄率を採用してよい。
【００８１】
また、図３０を示して説明した構成例と同様の構成を設けて、基地局Ｂ１が受信したプリアンブルのうち、破棄率決定部４１により決定された破棄率以上の割合で受信されたプリアンブル系列またはその集合を、破棄すべきプリアンブル系列として決定してもよい。
【００８２】
図３８は、プリアンブルの破棄に関する制御部１４の第３構成例を示すブロック図であり、図３９は、プリアンブルの破棄に関するベースバンド制御部２４の第４構成例を示すブロック図である。
本構成例では、他の基地局Ｂ２及びＢ３並びにノードＮＤ１及びＮＤ２のうちいずれかからプリアンブルの破棄を指示する制御信号である破棄指示を受信したときに、プリアンブルの破棄処理を開始し、プリアンブルの破棄の解除を指示する解除指示を受信したときに、プリアンブルの破棄処理を終了する。
【００８３】
このため、制御部１４は、他の基地局Ｂ２及びＢ３並びにノードＮＤ１及びＮＤ２のうちいずれかから上記破棄指示及び解除指示を受信する破棄指示受信部５４と、破棄指示及び解除指示にしたがって、ベースバンド制御部２４が行うプリアンブル破棄のための処理を制御する破棄制御部５５を備える。破棄情報通知部５１の処理は、図８を参照して説明した制御部１４の第１構成例の破棄情報通知部５１の処理と同様であるため説明を省略する。
【００８４】
ベースバンド制御部２４は、破棄制御部５５による制御にしたがって基地局Ｂ１の動作モードを「通常処理実行中」及び「破棄処理実行中」のいずれかに設定するモード決定部４０と、破棄制御部５５による制御にしたがって破棄率ｒを決定する破棄率決定部４１を備える。
破棄率決定部４１は、固定された破棄率ｒを使用すべき破棄率として決定してもよく、または他の基地局Ｂ２及びＢ３並びにノードＮＤ１及びＮＤ２から受信した破棄指示によって指定された破棄率ｒを使用してもよい。
破棄プリアンブル数決定部４２、破棄プリアンブル決定部４３及び破棄情報生成部４４の処理は、図４を参照して説明したベースバンド制御部２４の第１構成例の破棄プリアンブル数決定部４２、破棄プリアンブル決定部４３及び破棄情報生成部４４の処理と同様であるため説明を省略する。
【００８５】
図４０は、基地局におけるプリアンブル受信及び応答送信処理の第２例を示すフローチャートである。はじめにステップＳ７０において、図３９に示すベースバンド制御部２４のモード決定部４０は、基地局Ｂ１の動作モードを「通常処理実行中」及び「破棄処理実行中」のうち「通常処理実行中」に設定する。
ステップＳ７１では、ユーザ端末ＵＥから送信されたプリアンブルを、図２に示す無線受信部１２が受信する。
【００８６】
ステップＳ７２において、基地局Ｂ１の動作モードが「通常処理実行中」であるときは、ステップＳ７３において、モード決定部４０は、図３８に示す制御部１４の破棄指示受信部５４が他の基地局Ｂ２及びＢ３並びにノードＮＤ１及びＮＤ２のうちいずれかから破棄指示を受信したか否かを判定する。
【００８７】
破棄指示を受信したとき、モード決定部４０は、ステップＳ７４にて基地局Ｂ１の動作モードを「破棄処理実行中」に変更し、ステップＳ７２に戻る。モード決定部４０により輻輳が発生していないと判定されたときは、ステップＳ７５に移行する。
ステップＳ７５において、図３に示すプリアンブル検出部３１は、プリアンブル生成部３３から供給されるプリアンブルパターンと受信信号のパターンとの相関処理を行い、受信信号に含まれるプリアンブルを検出する。このように基地局Ｂ１の動作モードが「通常処理実行中」にある場合には、ユーザ端末ＵＥから送信されたプリアンブルの破棄は行われない。
ステップＳ７６では、ＭＡＣ／ＲＬＣ部２３にて受信されたプリアンブルに対する応答信号が、図示しない信号送信手段によってユーザ端末ＵＥに返信される。
【００８８】
ステップＳ７４にて基地局Ｂ１の動作モードが「破棄処理実行中」に変更されると、ステップＳ７２の分岐において、ステップＳ７７へ移行する。ステップＳ７７において、モード決定部４０は解除指示を受信したか否かを判定する。
解除指示を受信したとき、モード決定部４０は、ステップＳ７８にて基地局Ｂ１の動作モードを「通常処理実行中」に変更し、ステップＳ８０に移行する。解除指示を受信していないときは、ステップＳ７９に移行する。ステップＳ７９では、無線受信部１２により受信されたプリアンブルの少なくとも一部を選択して破棄する処理が行われる。
【００８９】
図４１は、図４０に示したプリアンブルの破棄ルーチンのフローチャートである。ステップＳ９０では、破棄率決定部４１が決定した破棄率ｒにしたがって、プリアンブルマスク部３４にてマスクするプリアンブル系列が決定される。ステップＳ９０による処理は、図１２に示したステップＳ３１による処理と同様としてもよい。
またステップＳ９１及びＳ９２では、図１２に示したステップＳ３２及びＳ３３と同様に、プリアンブルマスク部３４によってプリアンブルパターンのマスク処理を行い、破棄情報通知部５１によって破棄情報を送信する。
【００９０】
図４０のステップＳ８０において、図３に示すプリアンブル検出部３１は、プリアンブルマスク部３４によってマスクされていないプリアンブル系列に対応するプリアンブルパターンのみと受信信号のパターンとの相関処理を行い、受信信号に含まれるプリアンブルを検出し、ステップＳ７６へ移行する。
したがって、基地局Ｂ１の動作モードが「破棄処理実行中」にある場合には、プリアンブルマスク部３４によってマスクされたプリアンブル系列に対応するプリアンブルパターンを有するプリアンブルはプリアンブル検出部３１によって検出されずに破棄される。
【００９１】
なお、図３８及び図３９に示す構成要素を、上述した他の実施例にも組み合わせることにより、これらの実施例においても他の基地局Ｂ２及びＢ３並びにノードＮＤ１及びＮＤ２のうちいずれかからプリアンブルの破棄を指示する制御信号である破棄指示を受信したときに、プリアンブルの破棄処理を開始し、プリアンブルの破棄の解除を指示する解除指示を受信したときに、プリアンブルの破棄処理を終了するように構成してもよい。
【００９２】
以上の実施例を含む実施形態に関し、更に以下の付記を開示する。
【００９３】
（付記１）
複数の既知パターンの中から選ばれたパターンを含むプリアンブルを端末から受信して、該プリアンブルに対する応答を該端末に送信する基地局装置であって、
受信した複数の前記プリアンブルのうちいずれかを選択して破棄するプリアンブル破棄部を備える基地局装置。
【００９４】
（付記２）
前記プリアンブル破棄部は、１以上の所定のプリアンブル系列のプリアンブルを各々破棄する付記１に記載の基地局装置。
【００９５】
（付記３）
前記基地局装置の所定の負荷を測定する負荷測定部と、
前記測定された負荷に応じた量のプリアンブル系列を前記１以上の所定のプリアンブル系列として決定する破棄プリアンブル系列決定部と、
を備える付記２に記載の基地局装置。
【００９６】
（付記４）
所定周期内に破棄すべき前記プリアンブルの量を示す破棄量を決定する破棄量決定部と、
前記所定周期内に受信された前記プリアンブルの量を示す受信量を前記プリアンブル系列毎に測定する受信量測定部と、
１以上のプリアンブル系列であってそれらの前記受信量の合計が前記破棄量以上となるものを、前記１以上の所定のプリアンブル系列として決定する破棄プリアンブル系列決定部と、
を備える付記２に記載の基地局装置。
【００９７】
（付記５）
前記プリアンブルの破棄を指示する指示信号を受信する破棄指示受信部を備え、
前記プリアンブル破棄部は、前記指示信号に従って前記プリアンブルを破棄する付記１に記載の基地局装置。
【００９８】
（付記６）
前記プリアンブルを破棄した旨を外部に通知する破棄情報通知部を備える付記１に記載の基地局装置。
【００９９】
（付記７）
複数の既知パターンの中から選ばれたパターンを含むプリアンブルを端末から受信して、該プリアンブルに対する応答を該端末に送信する基地局装置を含む無線通信システムであって、
前記基地局は、受信した複数の前記プリアンブルのうちいずれかを選択して破棄するプリアンブル破棄部を備える無線通信システム。
【０１００】
（付記８）
複数の既知パターンの中から選ばれたパターンを含むプリアンブルが端末から基地局装置へ送信され、該プリアンブルに対する応答が該基地局装置から該端末に送信される通信方法であって、
前記基地局装置が、受信した複数の前記プリアンブルのうちいずれかを選択して破棄する通信方法。
【図面の簡単な説明】
【０１０１】
【図１】開示の通信システムのネットワーク構成図である。
【図２】開示の基地局の受信部構成を示すブロック図である。
【図３】プリアンブルの破棄に関する上りリンク処理部の構成例を示すブロック図である。
【図４】プリアンブルの破棄に関するベースバンド制御部の第１構成例を示すブロック図である。
【図５】Ｚａｄｏｆｆ−Ｃｈｕ系列の説明図である。
【図６】Ｎ＝４、Ｓ＝８の場合のプリアンブル系列の例を示す図である。
【図７】プリアンブルパターンとして使用する符号列の他の例を示す図である。
【図８】プリアンブルの破棄に関する制御部の第１構成例を示すブロック図である。
【図９】本通信システムにおけるユーザ端末と基地局とノード間のデータのやりとりを示すシーケンス図である。
【図１０】基地局におけるプリアンブルの受信処理及び応答送信処理の第１例を示すフローチャートである。
【図１１】（Ａ）は、通常状態において基地局Ｂ１にて使用されるプリアンブル系列の例を示す図であり、（Ｂ）は通常状態における基地局Ｂ１内のプリアンブルの受信処理の説明図である。
【図１２】図１０に示したプリアンブルの破棄ルーチンのフローチャートである。
【図１３】プリアンブル受信数に対応する破棄率のルックアップテーブルの第１例を示す図である。
【図１４】プリアンブル受信数に対応する破棄率のルックアップテーブルの第２例を示す図である。
【図１５】図１２に示した破棄するプリアンブル系列の決定ルーチンのフローチャートである。
【図１６】破棄すべきプリアンブル系列の数を与えるルックアップテーブルの例を示す図である。
【図１７】破棄すべきプリアンブル系列を指定する巡回シフト数の数を与えるルックアップテーブルの例を示す図である。
【図１８】破棄すべきプリアンブル系列を指定する系列番号の数を与えるルックアップテーブルの例を示す図である。
【図１９】破棄すべきプリアンブル系列を与えるルックアップテーブルの例を示す図である。
【図２０】破棄すべきプリアンブル系列を指定する巡回シフト数を与えるルックアップテーブルの例を示す図である。
【図２１】破棄すべきプリアンブル系列を指定する系列番号を与えるルックアップテーブルの例を示す図である。
【図２２】破棄の候補から除外されるプリアンブル系列を指定する図である。
【図２３】（Ａ）は、輻輳状態において基地局Ｂ１にて使用されるプリアンブル系列の例を示す図であり、（Ｂ）は輻輳状態における基地局Ｂ１内のプリアンブルの受信処理の説明図である。
【図２４】図１２に示した破棄するプリアンブル系列の決定ルーチンＳ３１の第２例のフローチャートである。
【図２５】破棄すべきプリアンブル系列を破棄率に対応して与えるルックアップテーブルの例を示す図である。
【図２６】破棄すべきプリアンブル系列を指定する巡回シフト数を破棄率に対応して与えるルックアップテーブルの例を示す図である。
【図２７】破棄すべきプリアンブル系列を指定する系列番号を破棄率に対応して与えるルックアップテーブルの例を示す図である。
【図２８】プリアンブル系列を並べたときの系列順位とプリアンブル系列の対応テーブルである。
【図２９】破棄率に対応して系列順位を与えるルックアップテーブルの例を示す図である。
【図３０】プリアンブルの破棄に関するベースバンド制御部の第２構成例を示すブロック図である。
【図３１】図１２に示した破棄するプリアンブル系列の決定ルーチンＳ３１の第３例のフローチャートである。
【図３２】プリアンブル系列を並べたときの系列順位とプリアンブル系列の対応テーブルである。
【図３３】プリアンブル系列に対するプリアンブル受信回数の累積度数を示す図である。
【図３４】プリアンブルの破棄に関する制御部の第２構成例を示すブロック図である。
【図３５】プリアンブルの破棄に関するベースバンド制御部の第３構成例を示すブロック図である。
【図３６】負荷指数に対応する破棄率のルックアップテーブルの第１例を示す図である。
【図３７】負荷指数に対応する破棄率のルックアップテーブルの第２例を示す図である。
【図３８】プリアンブルの破棄に関する制御部の第３構成例を示すブロック図である。
【図３９】プリアンブルの破棄に関するベースバンド制御部の第４構成例を示すブロック図である。
【図４０】基地局におけるプリアンブル受信及び応答送信処理の第２例を示すフローチャートである。
【図４１】図４０に示したプリアンブルの破棄ルーチンのフローチャートである。
【符号の説明】
【０１０２】
Ｂ１    基地局
１１    アンテナ
１３    ベースバンド信号処理部
１４    制御部
２２    上りリンク処理部
２４    ベースバンド制御部
３１    プリアンブル検出部
３２    プリアンブルカウント部
３３    プリアンブル生成部
３４    プリアンブルマスク部
４１    破棄率決定部
４３    破棄プリアンブル決定部
Ｉ１    ノード基地局間インタフェース
Ｉ２    基地局間インタフェース
【図１】
2009224885.tif 000003
【図２】
2009224885.tif 000004
【図３】
2009224885.tif 000005
【図４】
2009224885.tif 000006
【図５】
2009224885.tif 000007
【図６】
2009224885.tif 000008
【図７】
2009224885.tif 000009
【図８】
2009224885.tif 000010
【図９】
2009224885.tif 000011
【図１０】
2009224885.tif 000012
【図１１】
2009224885.tif 000013
【図１２】
2009224885.tif 000014
【図１３】
2009224885.tif 000015
【図１４】
2009224885.tif 000016
【図１５】
2009224885.tif 000017
【図１６】
2009224885.tif 000018
【図１７】
2009224885.tif 000019
【図１８】
2009224885.tif 000020
【図１９】
2009224885.tif 000021
【図２０】
2009224885.tif 000022
【図２１】
2009224885.tif 000023
【図２２】
2009224885.tif 000024
【図２３】
2009224885.tif 000025
【図２４】
2009224885.tif 000026
【図２５】
2009224885.tif 000027
【図２６】
2009224885.tif 000028
【図２７】
2009224885.tif 000029
【図２８】
2009224885.tif 000030
【図２９】
2009224885.tif 000031
【図３０】
2009224885.tif 000032
【図３１】
2009224885.tif 000033
【図３２】
2009224885.tif 000034
【図３３】
2009224885.tif 000035
【図３４】
2009224885.tif 000036
【図３５】
2009224885.tif 000037
【図３６】
2009224885.tif 000038
【図３７】
2009224885.tif 000039
【図３８】
2009224885.tif 000040
【図３９】
2009224885.tif 000041
【図４０】
2009224885.tif 000042
【図４１】
2009224885.tif 000043